(57)【特許請求の範囲】
【請求項１】
複数のエリアを含む地域内における移動式水素ステーションの配置計画を作成する処理をコンピュータが実行する方法であって、
前記地域内の既設の給油所における来客数の時系列データと、前記給油所における販売量の時系列データと、前記地域内の既設の定置式水素ステーションにおける来客数の時系列データと、前記定置式水素ステーションにおける販売量の時系列データとのうちの少なくとも１つをデータベースに格納し、前記時系列データに基づいて、各エリアの水素需要予想量を所定時間ごとに算出する第１のステップと、
前記所定時間ごとにおける各エリアの前記水素需要予想量に基づいて、移動式水素ステーションを配置するエリアと、該エリアに移動式水素ステーションを配置する時間帯とを決定する第２のステップと、
を含む、移動式水素ステーションの配置計画作成方法。
【請求項２】
前記第２のステップでは、各エリアの前記水素需要予想量の時間的傾向に基づいて決定された各エリアの水素供給優先度に基づいて、移動式水素ステーションを配置するエリアと、該エリアに移動式水素ステーションを配置する時間帯とを決定する、請求項１に記載の移動式水素ステーションの配置計画作成方法。
【請求項３】
前記第２のステップでは、前記地域内の既設の定置式水素ステーションの設置位置に更に基づいて、移動式水素ステーションを配置するエリアと、該エリアに移動式水素ステーションを配置する時間帯とを決定する、請求項１又は請求項２に記載の移動式水素ステーションの配置計画作成方法。
【請求項４】
前記第２のステップでは、前記地域内の既設の定置式水素ステーションにおける見込みの水素在庫量に更に基づいて、移動式水素ステーションを配置するエリアと、該エリアに移動式水素ステーションを配置する時間帯とを決定する、請求項１〜請求項３のいずれか１つに記載の移動式水素ステーションの配置計画作成方法。
【請求項５】
前記第２のステップでは、少なくとも１つのエリアに最も近い前記定置式水素ステーションによって前記少なくとも１つのエリアの前記水素需要予想量を賄えるか否かを判定し、賄えると判定した場合には前記少なくとも１つのエリアに移動式水素ステーションを配置しないと決定する一方、賄えないと判定した場合には前記少なくとも１つのエリアに移動式水素ステーションを配置すると決定する、請求項４に記載の移動式水素ステーションの配置計画作成方法。
【請求項６】
前記給油所における来客数の時系列データ及び前記給油所における販売量の時系列データは、前記給油所において所定時間ごとに入力されて前記データベースに格納され、前記定置式水素ステーションにおける来客数の時系列データ及び前記定置式水素ステーションにおける販売量の時系列データは、前記定置式水素ステーションにおいて所定時間ごとに入力されて前記データベースに格納される、請求項１〜請求項５のいずれか１つに記載の移動式水素ステーションの配置計画作成方法。
【請求項７】
前記第１のステップは、
前記地域内の既設の給油所における来客数の時系列データと、前記給油所における販売量の時系列データと、前記地域内の既設の定置式水素ステーションにおける来客数の時系列データと、前記定置式水素ステーションにおける販売量の時系列データとのうちの少なくとも１つをデータベースに格納し、前記時系列データに基づいて、各エリアの集客予想量を前記所定時間ごとに算出すること、及び、
前記所定時間ごとにおける各エリアの前記集客予想量に基づいて、前記所定時間ごとにおける各エリアの前記水素需要予想量を算出すること、
を含む、請求項１〜請求項６のいずれか１つに記載の移動式水素ステーションの配置計画作成方法。
【請求項８】
複数のエリアを含む地域内における移動式水素ステーションの配置計画を作成する処理をコンピュータが実行する方法であって、
前記地域内の既設の給油所における来客数の時系列データと、前記給油所における販売量の時系列データと、前記地域内の既設の定置式水素ステーションにおける来客数の時系列データと、前記定置式水素ステーションにおける販売量の時系列データとのうちの少なくとも１つをデータベースに格納し、前記時系列データに基づいて、各エリアの集客予想量を所定時間ごとに算出する第１のステップと、
前記所定時間ごとにおける各エリアの前記集客予想量に基づいて、移動式水素ステーションを配置するエリアと、該エリアに移動式水素ステーションを配置する時間帯とを決定する第２のステップと、
を含む、移動式水素ステーションの配置計画作成方法。
【請求項９】
前記第２のステップでは、各エリアの前記集客予想量の時間的傾向に基づいて決定された各エリアの水素供給優先度に基づいて、移動式水素ステーションを配置するエリアと、該エリアに移動式水素ステーションを配置する時間帯とを決定する、請求項８に記載の移動式水素ステーションの配置計画作成方法。
【請求項１０】
前記第２のステップでは、前記地域内の既設の定置式水素ステーションの設置位置に更に基づいて、移動式水素ステーションを配置するエリアと、該エリアに移動式水素ステーションを配置する時間帯とを決定する、請求項８又は請求項９に記載の移動式水素ステーションの配置計画作成方法。
【請求項１１】
前記第２のステップでは、既設の水素出荷センターの設置位置に更に基づいて、移動式水素ステーションを配置するエリアと、該エリアに移動式水素ステーションを配置する時間帯とを決定する、請求項１〜請求項１０のいずれか１つに記載の移動式水素ステーションの配置計画作成方法。
【請求項１２】
請求項１〜請求項１１のいずれか１つに記載の移動式水素ステーションの配置計画作成方法により作成された前記配置計画を含む情報をＷＥＢページ上に掲載すること、及び／又は、情報通信端末に送信すること、を含む処理をコンピュータが実行する、移動式水素ステーションの配置計画情報提供方法。
【請求項１３】
請求項１〜請求項１１のいずれか１つに記載の移動式水素ステーションの配置計画作成方法により作成された前記配置計画を含む情報及び前記移動式水素ステーションの位置情報を画面表示装置に表示することを含む処理をコンピュータが実行する、移動式水素ステーションの配置管理方法。
【請求項１４】
前記移動式水素ステーションの水素在庫情報を前記画面表示装置に表示することを更に含む、請求項１３に記載の移動式水素ステーションの配置管理方法。
【発明の詳細な説明】
【技術分野】
【０００１】
本発明は、燃料電池自動車（ＦＣＶ）などの車両の水素燃料タンクに水素を充填するための移動式水素ステーションの配置計画を作成する方法と、作成された配置計画を含む情報をＦＣＶなどの車両のユーザ（以下、単に「ユーザ」と称する）に提供する方法と、移動式水素ステーションの配置を管理する方法とに関する。
【背景技術】
【０００２】
特許文献１は、ＦＣＶ用の水素供給システムが、複数の定置式水素ステーションと、移動式の水素充填車（移動式水素ステーション）によりバックアップされた複数の水素充填所とを含むことを開示している。特許文献１において、水素充填所は、近くに定置式水素ステーションがない場合の補完的なものとして位置付けられている（特許文献１の段落番号００１４参照）。また、特許文献１において、水素充填所には、通常、水素充填車が待機していないので、ユーザは、希望の水素充填所を選択した上で、当該水素充填所に向かうに先立って当該水素充填所に水素充填の予約を行うことで、当該水素充填所に水素充填車が配車される（特許文献１の段落番号００２８参照）。
特許文献２は移動式水素ステーションを開示している。
【先行技術文献】
【特許文献】
【０００３】
【特許文献１】特開２００６−１７３０６８号公報
【特許文献２】特開２００５−０２４０６１号公報
【発明の概要】
【発明が解決しようとする課題】
【０００４】
しかしながら、特許文献１に開示の技術では、移動式水素ステーションの配置が複数のユーザからのランダムな予約によって決まるので、移動式水素ステーションを効率的に運用することが難しかった。
【０００５】
本発明は、このような実状に鑑み、ユーザの動向を考慮しつつ、移動式水素ステーションの配置を最適化することを目的とする。
【課題を解決するための手段】
【０００６】
そのため本発明の第１態様において、移動式水素ステーションの配置計画作成方法は、複数のエリアを含む地域内における移動式水素ステーションの配置計画を作成する処理をコンピュータが実行する方法である。この方法は、前記地域内の既設の給油所における来客数の時系列データと、前記給油所における販売量の時系列データと、前記地域内の既設の定置式水素ステーションにおける来客数の時系列データと、前記定置式水素ステーションにおける販売量の時系列データとのうちの少なくとも１つをデータベースに格納し、前記時系列データに基づいて、各エリアの水素需要予想量を所定時間ごとに算出する第１のステップと、前記所定時間ごとにおける各エリアの水素需要予想量に基づいて、移動式水素ステーションを配置するエリアと、該エリアに移動式水素ステーションを配置する時間帯とを決定する第２のステップと、を含む。
【０００７】
本発明の第２態様において、移動式水素ステーションの配置計画作成方法は、複数のエリアを含む地域内における移動式水素ステーションの配置計画を作成する処理をコンピュータが実行する方法である。この方法は、前記地域内の既設の給油所における来客数の時系列データと、前記給油所における販売量の時系列データと、前記地域内の既設の定置式水素ステーションにおける来客数の時系列データと、前記定置式水素ステーションにおける販売量の時系列データとのうちの少なくとも１つをデータベースに格納し、前記時系列データに基づいて、各エリアの集客予想量を所定時間ごとに算出する第１のステップと、前記所定時間ごとにおける各エリアの集客予想量に基づいて、移動式水素ステーションを配置するエリアと、該エリアに移動式水素ステーションを配置する時間帯とを決定する第２のステップと、を含む。
【０００８】
本発明の第３態様において、移動式水素ステーションの配置計画情報提供方法は、前述の第１態様又は第２態様における移動式水素ステーションの配置計画作成方法により作成された配置計画を含む情報をＷＥＢページ上に掲載すること、及び／又は、情報通信端末に送信すること、を含む処理をコンピュータが実行する。
【０００９】
本発明の第４態様において、移動式水素ステーションの配置管理方法は、前述の第１態様又は第２態様における移動式水素ステーションの配置計画作成方法により作成された配置計画を含む情報及び前記移動式水素ステーションの位置情報を画面表示装置に表示することを含む処理をコンピュータが実行する。
【発明の効果】
【００１０】
本発明の第１態様によれば、所定時間における各エリアの水素需要予想量を算出し、この算出結果に基づいて、移動式水素ステーションを配置するエリアと、該エリアに移動式水素ステーションを配置する時間帯とを決定する。これにより、水素の需要が高くなり得るエリアをカバーするように移動式水素ステーションの配置を最適化した移動式水素ステーションの配置計画を作成することができるので、その配置計画に沿って移動式水素ステーションを効率良く運用することができる。
【００１１】
本発明の第２態様によれば、所定時間における各エリアの集客予想量を算出し、この算出結果に基づいて、移動式水素ステーションを配置するエリアと、該エリアに移動式水素ステーションを配置する時間帯とを決定する。これにより、多い集客が予想されて水素の需要が高くなり得るエリアをカバーするように移動式水素ステーションの配置を最適化した移動式水素ステーションの配置計画を作成することができるので、その配置計画に沿って移動式水素ステーションを効率良く運用することができる。
【００１２】
本発明の第３態様によれば、移動式水素ステーションの配置計画を含む情報をＷＥＢページ上に掲載するか、又は、情報通信端末に送信する。これにより、ユーザは、移動式水素ステーションの配置計画を把握することができるので、ドライブ時の燃料補充の計画を容易に立てることができる。
【００１３】
本発明の第４態様によれば、移動式水素ステーションの配置計画に従って移動式水素ステーションが配置されているか否かを監視する。これにより、移動式水素ステーションの効率的な配置が実現されているか否かを把握することができる。
【図面の簡単な説明】
【００１４】
【図１】本発明の第１実施形態における水素ステーションの集中管理システムの概略構成を示す図
【図２】同上実施形態における店舗装置の概略構成を示す図
【図３】同上実施形態における定置式水素ステーションの概略構成を示す図
【図４】同上実施形態における複数のエリアを含む地域を示す図
【図５】同上実施形態における移動式水素ステーションの配置計画作成フローを示すフローチャート
【図６】同上実施形態における各エリアの水素供給優先度の決定フローを示すフローチャート
【図７】同上実施形態における平日午前の各エリアの水素供給優先度を示す図
【図８】同上実施形態における平日午後の各エリアの水素供給優先度を示す図
【図９】同上実施形態における平日の移動式水素ステーションの配置計画表を示す図
【図１０】同上実施形態における休日午前の各エリアの水素供給優先度を示す図
【図１１】同上実施形態における休日午後の各エリアの水素供給優先度を示す図
【図１２】同上実施形態における休日の移動式水素ステーションの配置計画表を示す図
【図１３】同上実施形態の変形例における各エリアの水素供給優先度の決定フローを示すフローチャート
【図１４】本発明の第２実施形態における移動式水素ステーションの配置計画作成フローを示すフローチャート
【図１５】同上実施形態における各エリアの水素供給優先度の決定フローを示すフローチャート
【図１６】同上実施形態の変形例における各エリアの水素供給優先度の決定フローを示すフローチャート
【図１７】本発明の第３実施形態における水素ステーションの集中管理システムの概略構成を示す図
【００１５】
以下、本発明の実施の形態について、図面を参照して説明する。
【００１６】
図１は、本発明の第１実施形態における水素ステーションの集中管理システムの概略構成を示す。図２（Ａ）は定置式水素ステーション（固定式水素ステーション）に設けられる店舗装置の概略構成を示す。図２（Ｂ）は移動式水素ステーションに設けられる店舗装置の概略構成を示す。
【００１７】
集中管理システム１は、複数の水素ステーション２（例えば、後述する定置式水素ステーション２１、及び、移動式水素ステーション２２）を有して消費者などに対して水素の供給を行う事業者が複数の水素ステーション２を集中的に管理するためのものである。
【００１８】
集中管理システム１は、各水素ステーション２にそれぞれ設けられた店舗装置３（例えば、後述する店舗装置３１，３２）と、各店舗装置３に通信ネットワーク１１を介して接続された管理サーバ５と、管理サーバ５に通信ネットワーク１２を介して接続された情報提供サーバ６と、管理サーバ５に通信ネットワーク１３を介して接続された画面表示装置７と、管理サーバ５に通信ネットワーク１４を介して接続された印刷装置８とを有する。
【００１９】
情報提供サーバ６は、通信ネットワーク１５を介して、複数（図１では３つ）のユーザ端末９に接続されている。ここで、ユーザ端末９とは、ユーザが所有する情報通信端末であり、例えば、ＦＣＶなどの車両に搭載されたカーナビゲーションシステムを構成するものであるか、または、デスクトップ型パーソナルコンピュータ、ノート型パーソナルコンピュータ、タブレットＰＣ、ＰＤＡ、スマートフォンを含む携帯電話などであり得る。ユーザ端末９は、ユーザに関連付けられた情報通信端末であり得る。
【００２０】
ここで、図１には４つの水素ステーション２が示されているが、水素ステーション２の個数はこれに限らない。また、図１には３つのユーザ端末９が示されているが、ユーザ端末９の個数はこれに限らない。また、以下の説明において、店舗装置３のうち、定置式水素ステーション２１に設けられるものを店舗装置３１とする一方、移動式水素ステーションに設けられるものを店舗装置３２とする。
【００２１】
図１に示す４つの水素ステーション２のうちの２つは定置式水素ステーション２１である。定置式水素ステーション２１は、水素出荷センター６０で製造・出荷された水素が輸送用車両によって配送されるオフサイト型の水素ステーションである。尚、図１には２つの定置式水素ステーション２１が示されているが、定置式水素ステーション２１の個数はこれに限らない。
【００２２】
図３は定置式水素ステーション２１の概略構成を示している。
図３に示すように、定置式水素ステーション２１は、荷卸し容器２４からの水素を昇圧する圧縮機２５と、圧縮機２５で昇圧された水素を貯蔵可能な蓄圧器ユニット２６と、蓄圧器ユニット２６に貯蔵された水素を、ＦＣＶなどの車両２７に搭載された水素燃料タンク２８に充填するディスペンサー２９とを備えている。
【００２３】
荷卸し容器２４は、例えば、図示しない複数の高圧水素容器により構成されており、これら高圧水素容器は、各々が、例えば４５ＭＰａの水素を貯蔵し得る。荷卸し容器２４には、トラクタやトラックなどの輸送用車両によって搬送される水素輸送用容器（図示せず）から、水素が充填され得る。この充填時には、水素輸送用容器からの水素が、定置式水素ステーション２１に備えられた圧縮機（図示せず）によって昇圧されて、この昇圧された水素が荷卸し容器２４に供給されてもよい。ここで、前述の水素輸送用容器には、水素トレーラー、水素カードル、水素タンクなどが含まれる。尚、本実施形態では、圧縮機２５が荷卸し容器２４からの水素を昇圧して蓄圧器ユニット２６に貯蔵するが、これに代えて、前述の水素輸送用容器からの水素を昇圧して蓄圧器ユニット２６に貯蔵してもよい。
蓄圧器ユニット２６は、例えば、図示しない複数の高圧水素容器（蓄圧器）により構成されており、これら高圧水素容器は、各々が、例えば８２ＭＰａの水素を貯蔵し得る。
【００２４】
図１及び図２に戻り、定置式水素ステーション２１の店舗装置３１は、水素在庫量測定装置３３と、店舗サーバ３４と、情報入力装置３５とを有する。水素在庫量測定装置３３と店舗サーバ３４とは、図示しない信号線を介して接続されている。情報入力装置３５と店舗サーバ３４とは、図示しない信号線を介して接続されている。
【００２５】
定置式水素ステーション２１の店舗装置３１において、水素在庫量測定装置３３は、荷卸し容器２４の各高圧水素容器内の水素の圧力及び温度を測定するセンサ群３７と、蓄圧器ユニット２６の各高圧水素容器内の水素の圧力及び温度を測定するセンサ群３８と、センサ群３７，３８に接続された制御装置３９とにより構成されている。制御装置３９は、センサ群３７，３８を介して、所定の時間ごとに（例えば１時間ごとに）、荷卸し容器２４の各高圧水素容器内の水素の圧力及び温度と、蓄圧器ユニット２６の各高圧水素容器内の水素の圧力及び温度とを測定し、この測定データに基づいて、定置式水素ステーション２１の荷卸し容器２４及び蓄圧器ユニット２６に貯蔵されている水素の在庫量（換言すれば、水素の残量）を算出する。また、制御装置３９は、この水素在庫量の算出値に、当該測定の日時データを付加して、第１の水素在庫情報を生成する。更に、制御装置３９は、この生成した第１の水素在庫情報を、店舗サーバ３４に送信する。すなわち、定置式水素ステーション２１の水素在庫量測定装置３３は、荷卸し容器２４及び蓄圧器ユニット２６に貯蔵されている水素の在庫量を測定し、当該水素在庫量のデータに測定日時データを併せて第１の水素在庫情報として店舗サーバ３４に送信する。
【００２６】
定置式水素ステーション２１の店舗装置３１において、情報入力装置３５には、例えば各水素ステーション２１にいる作業員により、各水素ステーション２１の稼動情報が入力される。情報入力装置３５は、この入力された稼動情報を、店舗サーバ３４に送信する。ここで、定置式水素ステーション２１の情報入力装置３５に入力される稼動情報としては、定置式水素ステーション２１の営業開始時刻及び営業終了時刻、ユーザが利用可能な時間帯、定置式水素ステーション２１における機器トラブルの有無、機器トラブルがある場合にはトラブルがある機器の復旧予定時刻、定期自主検査の実施予定期間など、定置式水素ステーション２１の稼動状態に関する各種情報が含まれる。
【００２７】
また、定置式水素ステーション２１の情報入力装置３５には、例えば各水素ステーション２１にいる作業員により、各水素ステーション２１における水素補充予定日時（換言すれば、水素入荷予定日時）と、当該水素補充予定日時に補充される予定の水素量とが入力される。ここで、水素補充予定日時とは、例えば、前述の水素輸送用容器から荷卸し容器２４に水素が補充される予定の日時である。情報入力装置３５は、入力された水素補充予定日時のデータと、当該水素補充予定日時に補充される予定の水素量のデータとを併せて第２の水素在庫情報を生成し、この第２の水素在庫情報を店舗サーバ３４に送信する。
【００２８】
また、定置式水素ステーション２１の情報入力装置３５には、例えば各水素ステーション２１にいる作業員により、各水素ステーション２１内の駐車スペースの混雑状況が入力され得る。この駐車スペースの混雑状況に関する情報については、前述の稼動情報に含まれて、店舗サーバ３４に送信され得る。
【００２９】
また、定置式水素ステーション２１の情報入力装置３５には、例えば各水素ステーション２１にいる作業員により、所定の時間ごと（例えば１時間ごと）の各水素ステーション２１の来客数と販売量とが入力され得る。この入力データについても、店舗サーバ３４に送信され得る。すなわち、定置式水素ステーション２１における来客数の時系列データと販売量の時系列データとが店舗サーバ３４に送信され得る。ここで、定置式水素ステーション２１の来客数は、定置式水素ステーション２１に来店したユーザの人数であってもよく、又は、車両２７の台数であってもよい。また、定置式水素ステーション２１の販売量は、定置式水素ステーション２１にて販売した水素の重量であり得る。
【００３０】
定置式水素ステーション２１の店舗装置３１において、店舗サーバ３４は、制御装置４０及び送信装置４１を有する。制御装置４０は店舗サーバ３４における各種処理を実行する機能を有し、また、ＣＰＵ、ＲＯＭ、ＲＡＭ、ハードディスク等を備える。制御装置４０では、水素在庫量測定装置３３及び情報入力装置３５から受信した各種情報を、ＲＡＭで一時記憶することができる。送信装置４１は、制御装置４０に記憶された各種情報や、水素在庫量測定装置３３及び情報入力装置３５から受信した各種情報を通信ネットワーク１１に送信することができる。
【００３１】
図１に示す４つの水素ステーション２のうち、別の２つの水素ステーションは移動式水素ステーション２２である。移動式水素ステーション２２は、例えば、図示しないトラックと、その荷台に搭載された、前述の圧縮機２５、蓄圧器ユニット２６、及びディスペンサー２９とにより構成され得る。移動式水素ステーション２２は道路を走行可能である。移動式水素ステーション２２の蓄圧器ユニット２６には、水素出荷センター６０で製造されて圧縮機２５で昇圧された水素が貯蔵され得る。尚、図１には２つの移動式水素ステーション２２が示されているが、移動式水素ステーション２２の個数はこれに限らない。
【００３２】
移動式水素ステーション２２の店舗装置３２は、前述の定置式水素ステーション２１の店舗装置３１の各構成要素に加えて、位置情報取得装置３６を有する。位置情報取得装置３６と店舗サーバ３４とは、図示しない信号線を介して接続されている。
【００３３】
移動式水素ステーション２２の店舗装置３２において、水素在庫量測定装置３３は、蓄圧器ユニット２６の各高圧水素容器内の水素の圧力及び温度を測定するセンサ群３８と、センサ群３８に接続された制御装置３９とにより構成されている。制御装置３９は、センサ群３８を介して、所定の時間ごとに（例えば１時間ごとに）、蓄圧器ユニット２６の各高圧水素容器内の水素の圧力及び温度を測定し、この測定データに基づいて、移動式水素ステーション２２の蓄圧器ユニット２６に貯蔵されている水素の在庫量（換言すれば、水素の残量）を算出する。また、制御装置３９は、この水素在庫量の算出値に、当該測定の日時データを付加して、第１の水素在庫情報を生成する。更に、制御装置３９は、この生成した第１の水素在庫情報を、店舗サーバ３４に送信する。すなわち、移動式水素ステーション２２の水素在庫量測定装置３３は、蓄圧器ユニット２６に貯蔵されている水素の在庫量を測定し、当該水素在庫量のデータに測定日時データを併せて第１の水素在庫情報として店舗サーバ３４に送信する。
【００３４】
移動式水素ステーション２２の店舗装置３２において、情報入力装置３５には、例えば各水素ステーション２２にいる作業員により、各水素ステーション２２の稼動情報が入力される。情報入力装置３５は、この入力された稼動情報を、店舗サーバ３４に送信する。ここで、移動式水素ステーション２２の情報入力装置３５に入力される稼動情報としては、移動式水素ステーション２２の営業開始時刻及び営業終了時刻、ユーザが利用可能な時間帯、移動式水素ステーション２２における機器トラブルの有無、機器トラブルがある場合にはトラブルがある機器の復旧予定時刻、定期自主検査の実施予定期間など、移動式水素ステーション２２の稼動状態に関する各種情報が含まれる。
【００３５】
また、移動式水素ステーション２２の情報入力装置３５には、例えば各水素ステーション２２にいる作業員により、各水素ステーション２２用の駐車スペースの混雑状況が入力され得る。この駐車スペースの混雑状況に関する情報については、前述の稼動情報に含まれて、店舗サーバ３４に送信され得る。
【００３６】
また、移動式水素ステーション２２の情報入力装置３５には、例えば各水素ステーション２２にいる作業員により、所定の時間ごと（例えば１時間ごと）の各水素ステーション２２の来客数と販売量とが入力され得る。この入力データについても、店舗サーバ３４に送信され得る。すなわち、移動式水素ステーション２２における来客数の時系列データと販売量の時系列データとが店舗サーバ３４に送信され得る。ここで、移動式水素ステーション２２の来客数は、移動式水素ステーション２２に来店したユーザの人数であってもよく、又は、車両２７の台数であってもよい。また、移動式水素ステーション２２の販売量は、移動式水素ステーション２２にて販売した水素の重量であり得る。
【００３７】
移動式水素ステーション２２の店舗装置３２において、位置情報取得装置３６は、例えば、ＧＰＳ受信機（図示せず）を備える。ＧＰＳ受信機は、複数のＧＰＳ衛星から発信される電波を受けてＧＰＳ受信機自身の現在位置を推定する機能を有する。この電波には、各衛星の軌道情報と原子時計の正確な時間情報とが含まれている。ＧＰＳ受信機は、複数のＧＰＳ衛星から電波を受信することにより、ＧＰＳ受信機自身の現在位置と原子時計の時刻とを得ることができる。なお、ＧＰＳ受信機を含むＧＰＳ（Global Positioning System：全地球測位システム）については周知であるので、その詳細な説明を省略する。
【００３８】
位置情報取得装置３６は、取得した移動式水素ステーション２２の位置測定日時のデータと、当該位置測定日時における移動式水素ステーション２２の位置のデータとを併せて位置情報を生成し、この位置情報を店舗サーバ３４に送信する。ここで、移動式水素ステーション２２の位置のデータは、少なくとも、移動式水素ステーション２２の位置の緯度及び経度のデータを含む。
【００３９】
移動式水素ステーション２２の店舗装置３２において、店舗サーバ３４は、制御装置４０及び送信装置４１を有する。制御装置４０は店舗サーバ３４における各種処理を実行する機能を有し、また、ＣＰＵ、ＲＯＭ、ＲＡＭ、ハードディスク等を備える。制御装置４０では、水素在庫量測定装置３３、情報入力装置３５及び位置情報取得装置３６から受信した各種情報を、ＲＡＭで一時記憶することができる。送信装置４１は、制御装置４０に記憶された各種情報や、水素在庫量測定装置３３、情報入力装置３５及び位置情報取得装置３６から受信した各種情報を通信ネットワーク１１に送信することができる。
【００４０】
管理サーバ５は、送受信装置５１と制御装置５２とデータベース５３とを備える。送受信装置５１は、店舗装置３１，３２からの各種情報を通信ネットワーク１１を介して受信する。制御装置５２は、管理サーバ５における各種処理を実行する機能を有し、また、ＣＰＵ、ＲＯＭ、ＲＡＭ、ハードディスク等を備える。
【００４１】
制御装置５２は、その一部が、配置計画作成部５４として機能する。配置計画作成部５４は、店舗装置３１，３２から送信された各種情報をデータベース５３に格納する。また、配置計画作成部５４は、既設の複数の給油所７０から送信された各種情報を通信ネットワーク１１を介して受信してデータベース５３に格納する。配置計画作成部５４は、データベース５３に格納された情報に基づいて移動式水素ステーション２２の配置計画を作成する。配置計画作成部５４にて実現される、移動式水素ステーション２２の配置計画の作成方法の詳細については、図４〜図１２を用いて後述する。
【００４２】
ここで、既設の複数の給油所７０から送信される各種情報には、各給油所７０の所定の時間ごと（例えば１時間ごと）の来客数と販売量とを含む情報が含まれ得る。すなわち、給油所７０における来客数の時系列データと販売量の時系列データとがデータベース５３に格納され得る。ここで、給油所７０の来客数は、給油所７０に来店した顧客の人数であってもよく、又は、来店した車両の台数であってもよい。また、給油所７０の販売量は、給油所にて販売したガソリンや軽油などの体積量であり得る。
【００４３】
制御装置５２は、その別の一部が、水素在庫予想量算出部５５として機能する。水素在庫予想量算出部５５は、データベース５３に格納された情報（特に、定置式水素ステーション２１の店舗装置３１から送信された第１の水素在庫情報、及び、第２の水素在庫情報）に基づいて、定置式水素ステーション２１の今後の水素在庫量（換言すれば、見込みの水素在庫量）を算出する。
【００４４】
データベース５３は、水素在庫予想量算出部５５にて算出された定置式水素ステーション２１の見込みの水素在庫量を含む情報を格納し得る。また、データベース５３は、配置計画作成部５４にて作成された移動式水素ステーション２２の配置計画を含む情報を格納し得る。
【００４５】
送受信装置５１は、管理サーバ５にて作成された移動式水素ステーション２２の配置計画を含む情報を、通信ネットワーク１２を介して、情報提供サーバ６に送信する。また、送受信装置５１は、データベース５３に格納された各種情報を、通信ネットワーク１３を介して、画面表示装置７に送信する。また、送受信装置５１は、印刷装置８からの要求に応じて、データベース５３に格納された各種情報を、通信ネットワーク１４を介して、印刷装置８に送信する。
【００４６】
情報提供サーバ６は、管理サーバ５から送信された移動式水素ステーション２２の配置計画を含む情報を管理してＷＥＢページ上に掲載する。この掲載の手法としては、例えば、ユーザ端末９の画面に表示される地図上に、前記配置計画に沿った移動式水素ステーション２２の配置エリア（配置場所）と、配置される時間帯とを表示することが考えられる。
【００４７】
水素出荷センター６０は水素の製造及び出荷を行う施設であり、水素製造装置や水素圧縮機などの設備（図示せず）を含んで構成されている。ここで、水素製造装置は、原料（例えばＬＰＧ（液化石油ガス））から水素を製造する装置である。
【００４８】
水素出荷センター６０には管理サーバ６１と画面表示装置６２と印刷装置６３とが設けられている。管理サーバ６１は通信ネットワーク１７を介して管理サーバ５に接続されている。画面表示装置６２は通信ネットワーク１８を介して管理サーバ６１に接続されている。印刷装置６３は通信ネットワーク１９を介して管理サーバ６１に接続されている。尚、本実施形態では、通信ネットワーク１１〜１５及び１７〜１９を各別の構成としているが、これら通信ネットワークのうちの２つ以上を同一の通信ネットワークとしてもよい。
【００４９】
管理サーバ６１は、送受信装置６５と制御装置６６とデータベース６７とを備える。送受信装置６５は、管理サーバ５の送受信装置５１から送信された各種情報を通信ネットワーク１７を介して受信する。制御装置６６は、管理サーバ６１における各種処理を実行する機能を有し、また、ＣＰＵ、ＲＯＭ、ＲＡＭ、ハードディスク等を備える。
【００５０】
データベース６７は、管理サーバ５の送受信装置５１から送信された各種情報を格納する。この各種情報には、前述のデータベース５３に格納された各種情報が含まれ得る。送受信装置６５は、データベース６７に格納された各種情報を、通信ネットワーク１８を介して、画面表示装置６２に送信する。また、送受信装置６５は、印刷装置６３からの要求に応じて、データベース６７に格納された各種情報を、通信ネットワーク１９を介して、印刷装置６３に送信する。
【００５１】
次に、配置計画作成部５４にて実現される、移動式水素ステーション２２の配置計画の作成方法について、図４〜図１２を用いて説明する。
【００５２】
図４は、本実施形態における複数のエリアを含む地域を示す図である。図５は、移動式水素ステーションの配置計画作成フローを示すフローチャートである。図６は、各エリアの水素供給優先度の決定フローを示すフローチャートである。図７は、平日午前の各エリアの水素供給優先度を示す図である。図８は、平日午後の各エリアの水素供給優先度を示す図である。図９は、平日の移動式水素ステーションの配置計画表を示す図である。図１０は、休日午前の各エリアの水素供給優先度を示す図である。図１１は、休日午後の各エリアの水素供給優先度を示す図である。図１２は、休日の移動式水素ステーションの配置計画表を示す図である。ここで、図４、図７、図８、図１０、及び図１１に示す定置式水素ステーション２１−１，２１−２は、図１に示す２つの定置式水素ステーション２１に対応する。また、図９及び図１２に示す移動式水素ステーション２２−１，２２−２は、図１に示す２つの移動式水素ステーション２２に対応する。
【００５３】
本実施形態では、平面視で矩形状の地域１００内（図４参照）に移動式水素ステーション２２−１，２２−２を配置するための配置計画を作成する方法について説明する。
【００５４】
この配置計画作成方法では、まず、図５に示す移動式水素ステーションの配置計画作成フローの処理を実行するに先立って、図４に示すように、地域１００を複数（本実施形態では、１００個）のエリアα１〜α１００（αＮ：Ｎ＝１〜１００）に分ける。すなわち、地域１００は複数のエリアα１〜α１００を含む。ここで、本実施形態では、エリアα８２に水素出荷センター６０が位置している。また、エリアα５４，α７９には、それぞれ、定置式水素ステーション２１−１，２１−２が設けられている。すなわち、定置式水素ステーション２１−１，２１−２は既設のものである。エリアα１〜α１００の各々は、例えば、１辺が数ｋｍ程度の矩形状である。エリアα１〜α５０は郊外部（地方部）であり、エリアα５１〜α１００は都市部である。また、エリアα１〜α１００には、それぞれ、複数の給油所（図示せず）が設けられている。これら給油所は、図１に示した給油所７０に対応する。
【００５５】
次に、図５に示す移動式水素ステーションの配置計画作成フローの処理を実行する。
図５に示すように、まずは、エリアα１に対応するように、ステップＳ１にて「Ｎ＝１」として、ステップＳ２に進む。ステップＳ２では、所定時間Ｐ（例えば、ある日の午前１２時から午後１２時までの１２時間、又は、ある日の午後１２時からその翌日の午前１２時までの１２時間）におけるエリアαＮでの所定時間Ｑ（例えば、１時間）毎の水素需要予想量ＨＤを算出する。ここで、「所定時間Ｐ」とは移動式水素ステーションの配置計画の対象となる時間帯を意味する。また、所定時間Ｐは所定時間Ｑよりも長い（Ｐ＞Ｑ）。
【００５６】
前述の水素需要予想量ＨＤについては、以下の項目（ア）〜（ケ）の少なくとも１つに基づいて算出される。
（ア）所定時間ＰにおけるエリアαＮでの所定時間Ｑ毎の集客予想量
（イ）地域１００内の既設の給油所７０における来客数（人数、車両台数など）の時系列データ
（ウ）地域１００内の既設の給油所７０における販売量（例えば、販売したガソリンや軽油などの体積量）の時系列データ
（エ）地域１００内における既設の給油所７０の設置位置（例えば住所）
（オ）地域１００内の既設の定置式水素ステーション２１−１，２１−２における来客数（人数、車両台数など）の時系列データ
（カ）地域１００内の既設の定置式水素ステーション２１−１，２１−２における販売量（例えば、販売した水素の重量）の時系列データ
（キ）地域１００内における既設の定置式水素ステーション２１−１，２１−２の設置位置（例えば住所）
（ク）地域１００内で行われる公的イベント及び民間等のイベント
（ケ）地域１００内の集客地の管理者などによって公表される、集客地の来客予想人数
【００５７】
また、前述の項目「（ア）所定時間ＰにおけるエリアαＮでの所定時間Ｑ毎の集客予想量」については、前述の項目（イ）〜（ケ）の少なくとも１つに基づいて算出され得る。ここで、「所定時間ＰにおけるエリアαＮでの所定時間Ｑ毎の集客予想量」とは、例えば、所定時間Ｐにて所定時間Ｑ毎にエリアαＮに集まるであろうと予想される人数又は車両２７の台数を意味する。
【００５８】
ここで、前述の項目（ア）〜（ケ）の各々に関する情報については、定置式水素ステーション２１の店舗装置３１、集中管理センター１０、水素出荷センター６０、及び給油所７０に予め設けられた適宜の入力装置から通信ネットワーク１１，１７などを介してデータベース５３に格納可能であり、この格納された情報が、前述の項目（ア）〜（ケ）の各々に関する情報として用いられ得る。
【００５９】
次に、ステップＳ３では、所定時間ＰにおけるエリアαＮでの所定時間Ｑ毎の水素需要予想量ＨＤに基づいて、所定時間ＰにおけるエリアαＮの水素供給優先度を決定する。この水素供給優先度の決定方法について、図６を用いて説明する。
【００６０】
図６に示すエリアαＮの水素供給優先度の決定フローでは、まず、ステップＳ１１にて、エリアαＮでの所定時間Ｑ毎の水素需要予想量ＨＤが所定値ＳＨ１以上であるか否かを判定する。ここで、所定値ＳＨ１とは、水素供給優先度が非常に高いか否かを判定するための閾値であり、予め設定されている。また、所定値ＳＨ１は、後述する所定値ＳＨ２よりも大きい（ＳＨ１＞ＳＨ２）。
【００６１】
ステップＳ１１にてＨＤ≧ＳＨ１である場合には水素供給優先度が非常に高いと判定されてステップＳ１２に進む。ステップＳ１２では、エリアαＮでの水素需要予想量ＨＤが所定値ＳＨ１を上回る時間ＴＥＸ１が所定値Ｔ１以上であるか否かを判定する。ここで、所定値Ｔ１とは、水素供給優先度が最も高いか否かを判定するための閾値であり、予め設定されている。
【００６２】
ステップＳ１２にてＴＥＸ１≧Ｔ１である場合には水素供給優先度が最も高いと判定されてステップＳ１３に進み、水素供給優先度を「Ａ」とする。一方、ステップＳ１２にてＴＥＸ１＜Ｔ１である場合には水素供給優先度が最も高いわけではないと判定されてステップＳ１４に進み、水素供給優先度を「Ｃ」とする。
【００６３】
ステップＳ１１にてＨＤ＜ＳＨ１である場合には水素供給優先度が非常に高いわけではないと判定されてステップＳ１５に進み、エリアαＮでの所定時間Ｑ毎の水素需要予想量ＨＤが所定値ＳＨ２以上であるか否かを判定する。ここで、所定値ＳＨ２とは、水素供給優先度の高低を判定するための閾値であり、予め設定されている。
【００６４】
ステップＳ１５にてＨＤ≧ＳＨ２である場合には水素供給優先度が高いと判定されてステップＳ１６に進む。ステップＳ１６では、エリアαＮでの水素需要予想量ＨＤが所定値ＳＨ２を上回る時間ＴＥＸ２が所定値Ｔ２以上であるか否かを判定する。ここで、所定値Ｔ２とは、水素供給優先度の高低を判定するための閾値であり、予め設定されている。
【００６５】
ステップＳ１６にてＴＥＸ２≧Ｔ２である場合には水素供給優先度が高いと判定されてステップＳ１７に進み、水素供給優先度を「Ｂ」とする。一方、ステップＳ１６にてＴＥＸ２＜Ｔ２である場合には水素供給優先度が低いと判定されてステップＳ１８に進み、水素供給優先度を「Ｄ」とする。
【００６６】
ステップＳ１５にてＨＤ＜ＳＨ２である場合には水素供給優先度が最も低いと判定されてステップＳ１９に進み、水素供給優先度を「Ｅ」とする。以上のようにして、エリアαＮの水素供給優先度Ａ〜Ｅ（「Ｅ」から「Ａ」に向かうほど水素供給優先度が高くなる）を、エリアαＮの水素需要予想量ＨＤの時間的傾向（ステップＳ１２及びＳ１６参照）に基づいて決定することができる。
【００６７】
エリアαＮの水素供給優先度を決定すると、図５のステップＳ４からステップＳ５に進み、「Ｎ＝２」として、ステップＳ２に戻る。このようにして、エリアαＮ（Ｎ＝２〜１００）の各々について、所定時間ＰにおけるエリアαＮでの所定時間Ｑ毎の水素需要予想量ＨＤの算出と水素供給優先度Ａ〜Ｅの決定とを行い（図７、図８、図１０、及び図１１参照）、その後に、ステップＳ６に進む。
【００６８】
ステップＳ６では、所定時間Ｐにおける、移動式水素ステーション２２−１，２２−２を配置する地域１００内のエリアと、当該エリアに移動式水素ステーション２２−１，２２−２を配置する時間帯とを決定する（図９及び図１２参照）。すなわち、移動式水素ステーション２２−１，２２−２の配置計画を作成することは、所定時間Ｐにおける、移動式水素ステーション２２−１，２２−２を配置する地域１００内のエリアと、当該エリアに移動式水素ステーション２２−１，２２−２を配置する時間帯とを決定することを含む。
【００６９】
この移動式水素ステーション２２−１，２２−２の配置エリアと配置の時間帯とは、以下の項目（サ）〜（ソ）の少なくとも１つに基づいて決定される。
（サ）エリアα１〜α１００の各々での所定時間Ｐにおける所定時間Ｑ毎の水素需要予想量ＨＤ（ステップＳ２参照）
（シ）所定時間Ｐにおけるエリアα１〜α１００の各々の水素供給優先度Ａ〜Ｅ（ステップＳ３参照）
（ス）所定時間Ｐにおける地域１００内の既設の定置式水素ステーション２１−１，２１−２における見込みの水素在庫量
（セ）地域１００内の既設の定置式水素ステーション２１−１，２１−２の設置位置（例えば住所）
（ソ）既設の水素出荷センター６０の設置位置（例えば住所）
【００７０】
ここで、前述の項目（ス）〜（ソ）の各々に関する情報については、定置式水素ステーション２１の店舗装置３１、集中管理センター１０、水素出荷センター６０、及び給油所７０に予め設けられた適宜の入力装置から通信ネットワーク１１，１７などを介してデータベース５３に格納可能であり、この格納された情報が、前述の項目（ス）〜（ソ）の各々に関する情報として用いられ得る。
【００７１】
また、前記項目（シ）については、水素供給優先度が高いエリアのほうが、水素供給優先度が低いエリアに比べて、移動式水素ステーション２２−１，２２−２が優先的に配置され得る。
【００７２】
また、前記項目（ス）に関しては、地域１００内の少なくとも１つのエリアに最も近い定置式水素ステーション２１（２１−１又は２１−２）によって前記少なくとも１つのエリアの水素需要予想量ＨＤを賄えるか否かを判定し、賄えると判定した場合には前記少なくとも１つのエリアに移動式水素ステーション２２−１，２２−２を配置しないと決定する一方、賄えないと判定した場合には前記少なくとも１つのエリアに移動式水素ステーション２２−１，２２−２を配置すると決定してもよい。
【００７３】
また、前記項目（ソ）に関しては、水素出荷センター６０から出発して各地で水素の供給を行った後に水素出荷センター６０に戻ってくる移動式水素ステーション２２−１，２２−２の走行距離が短くなるように（すなわち、移動式水素ステーション２２−１，２２−２の移動が効率的になるように）、移動式水素ステーション２２−１，２２−２の配置エリアと配置の時間帯とを決定してもよい。
【００７４】
以上のようにして、配置計画作成部５４にて移動式水素ステーション２２−１，２２−２の配置計画が作成される。
【００７５】
次に、配置計画作成部５４にて作成される移動式水素ステーション２２−１，２２−２の配置計画の具体例について、図７〜図１２に基づいて説明する。ここで、図７〜図９は、平日を対象とした移動式水素ステーション２２−１，２２−２の配置計画に関するものである。一方、図１０〜図１２は、休日を対象とした移動式水素ステーション２２−１，２２−２の配置計画に関するものである。
【００７６】
図７に示すように、平日午前では、水素供給優先度が「Ａ」であるエリアが、都市部内のエリアα５１，α５４，α５８，α７９である。ここで、エリアα５４，α７９については、各エリア内に定置式水素ステーション２１−１，２１−２が存在するので、移動式水素ステーション２２を配置しない。一方、エリアα５１，α５８については、近くに定置式水素ステーション２１−１，２１−２が存在しないので、移動式水素ステーション２２を配置する。
【００７７】
図８に示すように、平日午後では、水素供給優先度が「Ａ」であるエリアが、都市部内のエリアα５４，α５８，α６４，α７９，α９６である。ここで、エリアα５４，α７９については、各エリア内に定置式水素ステーション２１−１，２１−２が存在するので、移動式水素ステーション２２を配置しない。また、エリアα６４については、エリアα６４に最も近い定置式水素ステーション２１−１（エリアα５４内）によってエリアα６４の水素需要予想量ＨＤが賄えるので、エリアα６４に移動式水素ステーション２２を配置しない。一方、エリアα５８，α９６については、近くに定置式水素ステーション２１−１，２１−２が存在しないので、移動式水素ステーション２２を配置する。
【００７８】
図７及び図８に基づく前述の平日午前及び平日午後についての検討結果を勘案して、図９に示す平日の移動式水素ステーション２２−１，２２−２の配置計画表が作成される。この配置計画表では、移動式水素ステーション２２−１は平日午前及び午後の時間帯Ｒ１においてエリアα５８に配置される。一方、移動式水素ステーション２２−２は平日午前の時間帯Ｒ２においてエリアα５１に配置され、平日午後の時間帯Ｒ３においてエリアα９６に配置される。
【００７９】
尚、図９に示した平日の移動式水素ステーション２２−１，２２−２の配置計画表では移動式水素ステーション２２−１，２２−２を配置するエリアのみを図示したが、実際には、移動式水素ステーション２２−１，２２−２を配置するエリア内の配置場所（例えば住所）が当該配置計画に含まれ得る。この配置場所は、例えば、基幹道路沿いの給油所や駐車場、高速道路のサービスエリアやパーキングエリアなどであり得る。
【００８０】
図１０に示すように、休日午前では、水素供給優先度が「Ａ」であるエリアが、都市部内のエリアα５４と、郊外部内のエリアα８，α１２とである。ここで、エリアα５４については、当該エリア内に定置式水素ステーション２１−１が存在するので、移動式水素ステーション２２を配置しない。一方、エリアα８，α１２については、近くに定置式水素ステーション２１−１，２１−２が存在しないので、移動式水素ステーション２２を配置する。ここで、エリアα８，α１２内には、行楽地（観光地）、テーマパーク、アウトレットモールを含むショッピングモール、複合商業施設などの集客地が存在し得る。
【００８１】
図１１に示すように、休日午後では、水素供給優先度が「Ａ」であるエリアが、郊外部内のエリアα１２，α２８である。ここで、エリアα１２，α２８については、近くに定置式水素ステーション２１−１，２１−２が存在しないので、移動式水素ステーション２２を配置する。
【００８２】
図１０及び図１１に基づく前述の休日午前及び休日午後についての検討結果を勘案して、図１２に示す休日の移動式水素ステーション２２−１，２２−２の配置計画表が作成される。この配置計画表では、移動式水素ステーション２２−１は休日午前及び午後の時間帯Ｒ４においてエリアα１２に配置される。一方、移動式水素ステーション２２−２は休日午前の時間帯Ｒ５においてエリアα８に配置され、休日午後の時間帯Ｒ６においてエリアα２８に配置される。
【００８３】
尚、図１２に示した休日の移動式水素ステーション２２−１，２２−２の配置計画表では移動式水素ステーション２２−１，２２−２を配置するエリアのみを図示したが、実際には、移動式水素ステーション２２−１，２２−２を配置するエリア内の配置場所（例えば住所）が当該配置計画に含まれ得る。この配置場所は、例えば、基幹道路沿いの給油所や駐車場、高速道路のサービスエリアやパーキングエリア、集客地内又は集客地の近隣の給油所や駐車場などであり得る。
【００８４】
本実施形態では、集中管理センター１０のオペレータは、集中管理センター１０の画面表示装置７に表示されている移動式水素ステーション２２−１，２２−２の配置計画を含む情報と移動式水素ステーション２２−１，２２−２の現在の位置情報とを確認することで、移動式水素ステーション２２−１，２２−２が配置計画に従って配置されているか否かを監視することができる。また、集中管理センター１０のオペレータは、集中管理センター１０の画面表示装置７に表示されている移動式水素ステーション２２−１，２２−２の第１の水素在庫情報を確認することで、移動式水素ステーション２２−１，２２−２の水素在庫量を監視することもできる。
【００８５】
また、本実施形態では、水素出荷センター６０のオペレータは、水素出荷センター６０の画面表示装置６２に表示されている移動式水素ステーション２２−１，２２−２の配置計画を含む情報と移動式水素ステーション２２−１，２２−２の現在の位置情報とを確認することで、移動式水素ステーション２２−１，２２−２が配置計画に従って配置されているか否かを把握することができる。また、水素出荷センター６０のオペレータは、水素出荷センター６０の画面表示装置６２に表示されている移動式水素ステーション２２−１，２２−２の第１の水素在庫情報を確認することで、移動式水素ステーション２２−１，２２−２の水素在庫量を把握することもできる。
【００８６】
また、本実施形態では、平日には、定置式水素ステーション２１−１，２１−２が近隣にない、都市部の基幹道路沿いの給油所や駐車場などにて移動式水素ステーション２２−１，２２−２を運用することで、基幹道路沿いに居住している者、又は、基幹道路を使って事業を行っている者が移動式水素ステーション２２−１，２２−２を利用することができ、定置式水素ステーション２１−１，２１−２がないエリアでも、不自由なくＦＣＶなどの車両に水素充填を行って当該車両を利用することができる。一方、休日には、平日とは異なり、郊外部で移動式水素ステーション２２−１，２２−２を運用することで、定置式水素ステーション２１−１，２１−２がない郊外部への遠出においても、ＦＣＶなどの車両を利用し、また出先で水素燃料を充填することができ、ユーザの利便性を確保することができる。
【００８７】
本実施形態によれば、移動式水素ステーション２２の配置計画作成方法は、複数のエリアα１〜α１００を含む地域１００内における移動式水素ステーション２２の配置計画を作成する方法である。この方法は、所定時間Ｐにおける各エリアの水素需要予想量ＨＤを算出する第１のステップ（図５のステップＳ２参照）と、各エリアの水素需要予想量ＨＤに基づいて、移動式水素ステーション２２を配置するエリアと、該エリアに移動式水素ステーション２２を配置する時間帯とを決定する第２のステップ（図５のステップＳ６、図９、及び図１２参照）と、を含む。これにより、水素の需要が高くなり得るエリアをカバーするように移動式水素ステーション２２の配置を最適化した移動式水素ステーション２２の配置計画を作成することができるので、その配置計画に沿って移動式水素ステーション２２を効率良く運用することができる。
【００８８】
また本実施形態によれば、前記第２のステップでは、各エリアの水素需要予想量ＨＤの時間的傾向（図６のステップＳ１２及びＳ１６参照）に基づいて決定された各エリアの水素供給優先度Ａ〜Ｅ（図７、図８、図１０、及び図１１参照）に基づいて、移動式水素ステーション２２を配置するエリアと、該エリアに移動式水素ステーション２２を配置する時間帯とを決定する（図５のステップＳ６、図９、及び図１２参照）。これにより、あるエリアの水素需要予想量ＨＤが高い状態が長時間にわたって続く場合には、当該エリアに優先的に移動式水素ステーション２２を配置することができる。
【００８９】
また本実施形態によれば、前記第２のステップでは、地域１００内の既設の定置式水素ステーション２１の設置位置に更に基づいて、移動式水素ステーション２２を配置するエリアと、該エリアに移動式水素ステーション２２を配置する時間帯とを決定する。これにより、定置式水素ステーション２１によってカバーすることが難しいエリアに移動式水素ステーション２２を効果的に配置することができる。
【００９０】
また本実施形態によれば、前記第２のステップでは、地域１００内の既設の定置式水素ステーション２１における見込みの水素在庫量に更に基づいて、移動式水素ステーション２２を配置するエリアと、該エリアに移動式水素ステーション２２を配置する時間帯とを決定する。これにより、定置式水素ステーション２１の水素在庫量を勘案した効率的な移動式水素ステーション２２の配置を実現することができる。
【００９１】
また本実施形態によれば、前記第２のステップでは、少なくとも１つのエリアに最も近い定置式水素ステーション２１によって前記少なくとも１つのエリアの水素需要予想量ＨＤを賄えるか否かを判定し、賄えると判定した場合には前記少なくとも１つのエリアに移動式水素ステーション２２を配置しないと決定する一方、賄えないと判定した場合には前記少なくとも１つのエリアに移動式水素ステーション２２を配置すると決定する。これにより、定置式水素ステーション２１の水素供給能力を勘案した効率的な移動式水素ステーション２２の配置を実現することができる。
【００９２】
また本実施形態によれば、前記第１のステップは、所定時間Ｐにおける各エリアの集客予想量を算出すること、及び、所定時間Ｐにおける各エリアの集客予想量に基づいて、所定時間Ｐにおける各エリアの水素需要予想量ＨＤを算出すること、を含む。これにより、比較的得られ易い各エリアの集客予想量を用いて、各エリアの水素需要予想量ＨＤを簡易に求めることができる。
【００９３】
また本実施形態によれば、前記第１のステップでは、地域１００内の既設の給油所７０における来客数の時系列データと、地域１００内の既設の給油所７０における販売量の時系列データと、地域１００内の既設の定置式水素ステーション２１における来客数の時系列データと、地域１００内の既設の定置式水素ステーション２１における販売量の時系列データとのうちの少なくとも１つの時系列データに基づいて、所定時間Ｐにおける各エリアの水素需要予想量ＨＤを算出する。これにより、比較的得られ易い給油所７０及び／又は定置式水素ステーション２１からの前記時系列データを用いて、各エリアの水素需要予想量ＨＤを簡易に求めることができる。
【００９４】
また本実施形態によれば、前記第２のステップでは、既設の水素出荷センター６０の設置位置に更に基づいて、移動式水素ステーション２２を配置するエリアと、該エリアに移動式水素ステーション２２を配置する時間帯とを決定する。これにより、水素出荷センター６０から出発して各地で水素の供給を行った後に水素出荷センター６０に戻ってくる移動式水素ステーション２２の走行距離が短くなるように（すなわち、移動式水素ステーション２２の移動が効率的になるように）、移動式水素ステーション２２の配置エリアと配置の時間帯とを決定することができる。
【００９５】
また本実施形態によれば、移動式水素ステーション２２の配置計画情報提供方法は、前述の移動式水素ステーション２２の配置計画作成方法により作成された移動式水素ステーション２２の配置計画を含む情報をＷＥＢページ上に掲載することを含む。これにより、ユーザは、移動式水素ステーション２２の配置計画を把握することができるので、ドライブ時の燃料補充の計画を容易に立てることができる。
【００９６】
また本実施形態によれば、移動式水素ステーション２２の配置管理方法は、前述の移動式水素ステーション２２の配置計画作成方法により作成された移動式水素ステーション２２の配置計画に従って移動式水素ステーション２２が配置されているか否かを監視することを含む。これにより、移動式水素ステーション２２の効率的な配置が実現されているか否かを把握することができる。
【００９７】
また本実施形態によれば、移動式水素ステーション２２の配置管理方法は、移動式水素ステーション２２の水素在庫量を監視することを更に含む。これにより、水素出荷センター６０の水素製造装置の運転計画を作成する者は、移動式水素ステーション２２の水素在庫量を確認して、水素製造装置の運転計画の作成の参考にすることができる。ここで、水素製造装置の運転計画を作成することは、水素製造装置の運転開始時刻を決定すること、運転時間を決定すること、及び、水素製造量（例えば、単位時間あたりの水素の製造量）を決定することを含む。
【００９８】
尚、本実施形態では、所定時間Ｐの一例として、ある日の午前１２時から午後１２時までの１２時間、又は、ある日の午後１２時からその翌日の午前１２時までの１２時間を挙げて説明したが、所定時間Ｐはこれに限らない。しかしながら、Ｐ＞Ｑの関係を常に満たす必要がある。
【００９９】
また、本実施形態では、所定時間Ｑの一例として１時間を挙げて説明したが、所定時間Ｑはこれに限らない。しかしながら、Ｑ＜Ｐの関係を常に満たす必要がある。
【０１００】
また、本実施形態では、図９及び図１２に示した移動式水素ステーション２２の配置計画表が１日単位で作成されているが、当該配置計画表は１日単位に限らず、数時間単位でもよく、又は、数日単位や１週間単位などであってもよい。
【０１０１】
また、前述の移動式水素ステーション２２の配置計画作成方法により作成された移動式水素ステーション２２の配置計画については、当該配置計画に基づいて移動式水素ステーション２２が移動を開始するに先立って、各定置式水素ステーション２１の稼動情報や見込みの水素在庫量に基づいて、当該配置計画を修正してもよい。
【０１０２】
また、前述の移動式水素ステーション２２の配置計画作成方法により作成された移動式水素ステーション２２の配置計画については、当該配置計画に基づいて移動式水素ステーション２２が移動を開始した後において（すなわち、移動の途中において）、各水素ステーション２１，２２の稼動情報や水素在庫量に基づいて当該配置計画を修正してもよい。
【０１０３】
また、本実施形態において、移動式水素ステーション２２の配置計画を作成することは、移動式水素ステーション２２の配置エリア（配置場所）と、そこに配置する時間帯とを決定することに加えて、水素出荷センター６０の出発時の移動式水素ステーション２２の蓄圧器ユニット２６における水素の貯蔵量を決定することを含み得る。
【０１０４】
また、本実施形態では、図４に示したように、地域１００をマトリクス状にエリアα１〜α１００に分割しているが、地域１００を複数のエリアに分割する手法はこれに限らない。
【０１０５】
また、本実施形態では図６を用いて各エリアの水素供給優先度の決定方法を説明したが、この水素供給優先度の決定方法は、図６に示した水素供給優先度の決定フローに限らない。図１３は、本実施形態の変形例における各エリアの水素供給優先度の決定フローを示すフローチャートである。本変形例では、図１３のステップＳ１２、Ｓ１６、及びＳ１７に示すように、ＴＥＸ１＜Ｔ１である場合か、又は、ＴＥＸ２≧Ｔ２である場合に、水素供給優先度を「Ｂ」とする。また、図１３のステップＳ１５、Ｓ１６、及びＳ１４に示すように、ＨＤ＜ＳＨ２である場合か、又は、ＴＥＸ２＜Ｔ２である場合に、水素供給優先度を「Ｃ」とする。本変形例では、エリアαＮの水素供給優先度Ａ〜Ｃ（「Ｃ」から「Ａ」に向かうほど水素供給優先度が高くなる）を、エリアαＮの水素需要予想量ＨＤの時間的傾向（ステップＳ１２及びＳ１６参照）に基づいて決定することができる。
【０１０６】
図１４は本発明の第２実施形態における移動式水素ステーションの配置計画作成フローを示すフローチャートである。図１５は、各エリアの水素供給優先度の決定フローを示すフローチャートである。
前述の第１実施形態（特に図５及び図６）と異なる点について説明する。
【０１０７】
図１４に示す移動式水素ステーションの配置計画作成フローにおいて、ステップＳ１にて「Ｎ＝１」とした後にステップＳ２０に進む。ステップＳ２０では、所定時間ＰにおけるエリアαＮでの所定時間Ｑ毎の集客予想量ＣＵを算出する。
【０１０８】
前述の集客予想量ＣＵについては、前述の第１実施形態における項目（ア）と同様であり、前述の第１実施形態における項目（イ）〜（ケ）の少なくとも１つに基づいて算出される。
【０１０９】
次に、ステップＳ３では、所定時間ＰにおけるエリアαＮでの所定時間Ｑ毎の集客予想量ＣＵに基づいて、所定時間ＰにおけるエリアαＮの水素供給優先度を決定する。この水素供給優先度の決定方法について、図１５を用いて説明する。
【０１１０】
図１５に示すエリアαＮの水素供給優先度の決定フローでは、まず、ステップＳ２１にて、エリアαＮでの所定時間Ｑ毎の集客予想量ＣＵが所定値ＣＳＨ１以上であるか否かを判定する。ここで、所定値ＣＳＨ１とは、水素供給優先度が非常に高いか否かを判定するための閾値であり、予め設定されている。また、所定値ＣＳＨ１は、後述する所定値ＣＳＨ２よりも大きい（ＣＳＨ１＞ＣＳＨ２）。
【０１１１】
ステップＳ２１にてＣＵ≧ＣＳＨ１である場合には水素供給優先度が非常に高いと判定されてステップＳ２２に進む。ステップＳ２２では、エリアαＮでの集客予想量ＣＵが所定値ＣＳＨ１を上回る時間ＣＴＥＸ１が所定値ＣＴ１以上であるか否かを判定する。ここで、所定値ＣＴ１とは、水素供給優先度が最も高いか否かを判定するための閾値であり、予め設定されている。
【０１１２】
ステップＳ２２にてＣＴＥＸ１≧ＣＴ１である場合には水素供給優先度が最も高いと判定されてステップＳ１３に進み、水素供給優先度を「Ａ」とする。一方、ステップＳ２２にてＣＴＥＸ１＜ＣＴ１である場合には水素供給優先度が最も高いわけではないと判定されてステップＳ１４に進み、水素供給優先度を「Ｃ」とする。
【０１１３】
ステップＳ２１にてＣＵ＜ＣＳＨ１である場合には水素供給優先度が非常に高いわけではないと判定されてステップＳ２３に進み、エリアαＮでの所定時間Ｑ毎の集客予想量ＣＵが所定値ＣＳＨ２以上であるか否かを判定する。ここで、所定値ＣＳＨ２とは、水素供給優先度の高低を判定するための閾値であり、予め設定されている。
【０１１４】
ステップＳ２３にてＣＵ≧ＣＳＨ２である場合には水素供給優先度が高いと判定されてステップＳ２４に進む。ステップＳ２４では、エリアαＮでの集客予想量ＣＵが所定値ＣＳＨ２を上回る時間ＣＴＥＸ２が所定値ＣＴ２以上であるか否かを判定する。ここで、所定値ＣＴ２とは、水素供給優先度の高低を判定するための閾値であり、予め設定されている。
【０１１５】
ステップＳ２４にてＣＴＥＸ２≧ＣＴ２である場合には水素供給優先度が高いと判定されてステップＳ１７に進み、水素供給優先度を「Ｂ」とする。一方、ステップＳ２４にてＣＴＥＸ２＜ＣＴ２である場合には水素供給優先度が低いと判定されてステップＳ１８に進み、水素供給優先度を「Ｄ」とする。
【０１１６】
ステップＳ２３にてＣＵ＜ＣＳＨ２である場合には水素供給優先度が最も低いと判定されてステップＳ１９に進み、水素供給優先度を「Ｅ」とする。以上のようにして、エリアαＮの水素供給優先度Ａ〜Ｅ（「Ｅ」から「Ａ」に向かうほど水素供給優先度が高くなる）を、エリアαＮの集客予想量ＣＵの時間的傾向（ステップＳ２２及びＳ２４参照）に基づいて決定することができる。
【０１１７】
エリアαＮの水素供給優先度を決定すると、図１４のステップＳ４からステップＳ５に進み、「Ｎ＝２」として、ステップＳ２０に戻る。このようにして、エリアαＮ（Ｎ＝２〜１００）の各々について、所定時間ＰにおけるエリアαＮでの所定時間Ｑ毎の集客予想量ＣＵの算出と水素供給優先度Ａ〜Ｅの決定とを行い、その後に、ステップＳ６に進む。ステップＳ６以降は前述の第１実施形態と同様であるので、その説明を省略する。
【０１１８】
特に本実施形態によれば、移動式水素ステーション２２の配置計画作成方法は、複数のエリアα１〜α１００を含む地域１００内における移動式水素ステーション２２の配置計画を作成する方法である。この方法は、所定時間Ｐにおける各エリアの集客予想量ＣＵを算出する第１のステップ（図１４のステップＳ２０参照）と、各エリアの集客予想量ＣＵに基づいて、移動式水素ステーション２２を配置するエリアと、該エリアに移動式水素ステーション２２を配置する時間帯とを決定する第２のステップ（図１４のステップＳ６参照）と、を含む。これにより、多い集客が予想されて水素の需要が高くなり得るエリアをカバーするように移動式水素ステーション２２の配置を最適化した移動式水素ステーション２２の配置計画を作成することができるので、その配置計画に沿って移動式水素ステーション２２を効率良く運用することができる。
【０１１９】
また本実施形態によれば、前記第２のステップでは、各エリアの集客予想量ＣＵの時間的傾向（図１５のステップＳ２２及びＳ２４参照）に基づいて決定された各エリアの水素供給優先度Ａ〜Ｅに基づいて、移動式水素ステーション２２を配置するエリアと、該エリアに移動式水素ステーション２２を配置する時間帯とを決定する（図１４のステップＳ６参照）。これにより、あるエリアの集客予想量ＣＵが高い状態が長時間にわたって続く場合には、当該エリアに優先的に移動式水素ステーション２２を配置することができる。
【０１２０】
また本実施形態によれば、前記第２のステップでは、地域１００内の既設の定置式水素ステーション２１の設置位置に更に基づいて、移動式水素ステーション２２を配置するエリアと、該エリアに移動式水素ステーション２２を配置する時間帯とを決定する。これにより、定置式水素ステーション２１によってカバーすることが難しいエリアに移動式水素ステーション２２を効果的に配置することができる。
【０１２１】
また本実施形態によれば、前記第１のステップでは、地域１００内の既設の給油所７０における来客数の時系列データと、地域１００内の既設の給油所７０における販売量の時系列データと、地域１００内の既設の定置式水素ステーション２１における来客数の時系列データと、地域１００内の既設の定置式水素ステーション２１における販売量の時系列データとのうちの少なくとも１つの時系列データに基づいて、所定時間Ｐにおける各エリアの集客予想量ＣＵを算出する。これにより、比較的得られ易い給油所７０及び／又は定置式水素ステーション２１からの前記時系列データを用いて、各エリアの集客予想量ＣＵを簡易に求めることができる。
【０１２２】
尚、本実施形態では図１５を用いて各エリアの水素供給優先度の決定方法を説明したが、この水素供給優先度の決定方法は、図１５に示した水素供給優先度の決定フローに限らない。図１６は、本実施形態の変形例における各エリアの水素供給優先度の決定フローを示すフローチャートである。本変形例では、図１６のステップＳ２２、Ｓ２４、及びＳ１７に示すように、ＣＴＥＸ１＜ＣＴ１である場合か、又は、ＣＴＥＸ２≧ＣＴ２である場合に、水素供給優先度を「Ｂ」とする。また、図１６のステップＳ２３、Ｓ２４、及びＳ１４に示すように、ＣＵ＜ＣＳＨ２である場合か、又は、ＣＴＥＸ２＜ＣＴ２である場合に、水素供給優先度を「Ｃ」とする。本変形例では、エリアαＮの水素供給優先度Ａ〜Ｃ（「Ｃ」から「Ａ」に向かうほど水素供給優先度が高くなる）を、エリアαＮの集客予想量ＣＵの時間的傾向（ステップＳ２２及びＳ２４参照）に基づいて決定することができる。
【０１２３】
図１７は、本発明の第３実施形態における水素ステーションの集中管理システムの概略構成を示す。
前述の第１及び第２実施形態と異なる点について説明する。
【０１２４】
本実施形態では、情報提供サーバ６が省略されており、管理サーバ５が通信ネットワーク１６を介して複数のユーザ端末９に接続されている。尚、本実施形態では、通信ネットワーク１１，１３，１４，１６〜１９を各別の構成としているが、これら通信ネットワークのうちの２つ以上を同一の通信ネットワークとしてもよい。
【０１２５】
本実施形態の第１例では、管理サーバ５で作成される移動式水素ステーション２２の配置計画を含む情報を文字情報として、この情報を管理サーバ５の送受信装置５１から通信ネットワーク１６を介して複数のユーザ端末９に送信する。この送信は例えば電子メールを用いて行われる。本例において、前述のデータベース５３には、ユーザごとのメールアドレスが予め登録されており、送受信装置５１は、この登録されたメールアドレス宛に、前述の配置計画を含む情報を付加した電子メールを通信ネットワーク１６に送信する。このメールは、通信ネットワーク１６に接続されたメールサーバ（図示せず）に一時保管される。ユーザは、管理サーバ５からの電子メールを、このメールサーバから通信ネットワーク１６を介してユーザ端末９で受信して読むことで、前述の配置計画を含む情報を得ることができる。
【０１２６】
本実施形態の第２例では、管理サーバ５で作成される移動式水素ステーション２２の配置計画を含む情報を、管理サーバ５の送受信装置５１から通信ネットワーク１６を介して、ユーザ端末９である前述のカーナビゲーションシステムに送信する。本例では、例えば、カーナビゲーションシステムを構成する車載ディスプレイに表示される地図上に、前記配置計画に沿った移動式水素ステーション２２の配置エリア（配置場所）と、配置される時間帯とを表示することが考えられる。
【０１２７】
特に本実施形態によれば、移動式水素ステーション２２の配置計画情報提供方法は、前述の第１及び第２実施形態における移動式水素ステーション２２の配置計画作成方法により作成された移動式水素ステーション２２の配置計画を含む情報を情報通信端末（ユーザ端末９）に送信することを含む。これにより、ユーザは、移動式水素ステーション２２の配置計画を把握することができるので、ドライブ時の燃料補充の計画を容易に立てることができる。
【０１２８】
尚、本実施形態では、移動式水素ステーション２２の配置計画を含む情報を、管理サーバ５から通信ネットワーク１６を介してユーザ端末９に送信しているが、これに加えて、前述の第１及び第２実施形態と同様に、情報提供サーバ６を用いて、ＷＥＢページ上に掲載してもよいことは言うまでもない。
【０１２９】
また、前述の第１〜第３実施形態では、通信ネットワーク１５，１６に接続される情報通信端末の一例として、ユーザが所有するユーザ端末９を挙げて説明したが、情報通信端末はこれに限らない。例えば、情報通信端末は、インターネットカフェなどに設置されているパーソナルコンピュータであってもよい。
【０１３０】
また、前述の第１〜第３実施形態では、移動式水素ステーション２２の店舗装置３２が位置情報取得装置３６を有しているが、これと同様の位置情報取得装置３６を、定置式水素ステーション２１の店舗装置３１が有してもよい。
【０１３１】
また、前述の第１〜第３実施形態では、店舗装置３１が設けられる定置式水素ステーション２１がオフサイト型の水素ステーションであるが、定置式水素ステーション２１の構成はこれに限らず、例えば、いわゆるオンサイト型の水素ステーションであってもよい。
【０１３２】
また、水素供給事業を行う事業者は、前述の第１〜第３実施形態における集中管理システム１を用いることにより、移動式水素ステーション２２の運営を効率的に行うことができる。
【０１３３】
また、前述の第１〜第３実施形態では、車両２７の一例として、水素燃料タンク及びモータを備えて水素を燃料とする燃料電池自動車（ＦＣＶ）を挙げて説明したが、車両２７はこれに限らない。例えば、車両２７は、水素燃料タンク及びエンジン（レシプロエンジンやロータリーエンジンなど）を備えて水素を燃料とする自動車（いわゆる水素自動車）であってもよい。
【０１３４】
以上からわかるように、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【０１３５】
１  集中管理システム
２  水素ステーション
３，３１，３２  店舗装置
５，６１  管理サーバ
６  情報提供サーバ
７，６２  画面表示装置
８，６３  印刷装置
９  ユーザ端末
１０  集中管理センター
１１〜１９  通信ネットワーク
２１  定置式水素ステーション
２２  移動式水素ステーション
２４  荷卸し容器
２５  圧縮機
２６  蓄圧器ユニット
２７  車両
２８  水素燃料タンク
２９  ディスペンサー
３３  水素在庫量測定装置
３４  店舗サーバ
３５  情報入力装置
３６  位置情報取得装置
３７，３８  センサ群
３９，４０，５２，６６  制御装置
４１  送信装置
５１，６５  送受信装置
５３，６７  データベース
５４  配置計画作成部
５５  水素在庫予想量算出部
６０  水素出荷センター
７０  給油所
【図１】
0006698411.tif 000002
【図２】
0006698411.tif 000003
【図３】
0006698411.tif 000004
【図４】
0006698411.tif 000005
【図５】
0006698411.tif 000006
【図６】
0006698411.tif 000007
【図７】
0006698411.tif 000008
【図８】
0006698411.tif 000009
【図９】
0006698411.tif 000010
【図１０】
0006698411.tif 000011
【図１１】
0006698411.tif 000012
【図１２】
0006698411.tif 000013
【図１３】
0006698411.tif 000014
【図１４】
0006698411.tif 000015
【図１５】
0006698411.tif 000016
【図１６】
0006698411.tif 000017
【図１７】
0006698411.tif 000018